(57)【特許請求の範囲】
【請求項１】
ユーザー端末ＵＥが、プライマリセル変更命令により、プライマリセルおよびセカンダリセルの構成情報を獲得するステップと、
前記ユーザー端末ＵＥが、獲得したプライマリセルおよびセカンダリセルの構成情報により、保留したソースプライマリセルとソースセカンダリセルの構成情報とを結合し、ターゲットプライマリセルおよびターゲットセカンダリセルの構成情報を獲得し、ソースプライマリセルおよびソースセカンダリセルからターゲットプライマリセルおよびターゲットセカンダリセルへ切り替えるステップとを備え、
プライマリセル変更命令が、削除指令および追加指令を含み、
前記ユーザー端末ＵＥが、プライマリセル変更命令に載せたセカンダリセルの構成情報に基づき、保留したソースセカンダリセルの構成情報を更新するステップは、
前記ユーザー端末ＵＥが、前記削除指令に含むセカンダリセルのセル番号と当該セル番号とに対応する構成情報を削除し、さらに前記追加指令が含むセカンダリセルのセル番号と指令に載せた当該セル番号とに対応する構成情報を含むステップを備え、
削除指令と追加指令とが同じセル番号を含む場合、前記ユーザー端末ＵＥが、削除指令に基づき、先に当該セル番号と当該セル番号に対応する構成情報とを先に削除し、あらためて追加指令に基づき、当該セル番号と当該セル番号に対応する構成情報とを追加することを特徴とするプライマリセル変更のためのセルの構成方法。
【請求項２】
プライマリセル変更命令に載せたプライマリセルおよびセカンダリセルの構成情報が、保留したソースプライマリセルに対する構成情報の増分構成情報或いは完全構成情報であり、或いは、
プライマリセル変更命令に載せたプライマリセルの構成情報が、保留したソースプライマリセルの構成情報に対する増分構成情報或いは完全構成情報であり、プライマリセル変更命令に載せたセカンダリセルの構成情報が、保留したソースセカンダリセルに対する構成情報の増分構成情報或いは完全構成情報であることを特徴とする請求項１に記載のプライマリセル変更のためのセルの構成方法。
【請求項３】
プライマリセル変更命令が、再構成情報であり、或いは、プライマリセル変更命令が、切り替え命令であることを特徴とする請求項１に記載のプライマリセル変更のためのセルの構成方法。
【請求項４】
基地局が、プライマリセルの構成情報を含むプライマリセル変更命令を生成するステップと、
基地局が、ユーザー端末ＵＥへプライマリセル変更命令を送信し、前記ユーザー端末ＵＥに、プライマリセル変更命令に載せたプライマリセルおよびセカンダリセルの構成情報により、保留した全てのソースプライマリセルとソースセカンダリセルの構成情報との結合を指示し、ターゲットプライマリセルおよびターゲットセカンダリセルの構成情報を獲得し、ソースプライマリセルおよびソースセカンダリセルからターゲットプライマリセルおよびターゲットセカンダリセルへ切り替えるステップとを備え、
プライマリセル変更命令が、削除指令および追加指令を含み、
基地局が前記ユーザー端末ＵＥへプライマリセル変更命令を送信するステップは、
基地局が、前記ユーザー端末ＵＥへプライマリセル変更命令を送信し、前記ユーザー端末ＵＥに前記削除指令に含むセル番号と当該セル番号に対応する構成情報との削除を指示し、さらに前記追加指令に含むセカンダリセルのセル番号とプライマリセル変更命令に載せた当該セル番号に対応する構成情報とを追加するステップを備え、
削除指令と追加指令とが同じセル番号を含む場合、基地局が、前記ユーザー端末ＵＥへプライマリセル変更命令を送信するステップは、前記ユーザー端末ＵＥに、削除指令に基づき、先に当該セル番号と当該セル番号に対応する構成情報との削除を指示し、あらためて追加指令に基づき、当該セル番号とプライマリセル変更命令に載せた当該セル番号に対応する構成情報とを追加することを特徴とするプライマリセル変更のためのセルの構成方法。
【請求項５】
プライマリセル変更命令に載せたプライマリセルおよびセカンダリセルの構成情報が、保留したソースプライマリセルの構成情報に対する増分構成情報或いは完全構成情報であり、或いは、
プライマリセル変更命令に載せたプライマリセルの構成情報が、保留したソースプライマリセルの構成情報に対する増分構成情報或いは完全構成情報であり、プライマリセル変更命令に載せたセカンダリセルの構成情報が、保留したソースセカンダリセルの構成情報に対する増分構成情報或いは完全構成情報であることを特徴とする請求項４に記載のプライマリセル変更のためのセルの構成方法。
【請求項６】
プライマリセル変更命令が、再構成情報であるか、或いは、プライマリセル変更命令が、切り替え命令であることを特徴とする請求項４に記載のプライマリセル変更のためのセルの構成方法。
【請求項７】
プライマリセル変更命令により、プライマリセルおよびセカンダリセルの構成情報を獲得する、インターフェースモジュールと、
獲得したプライマリセルおよびセカンダリセルの構成情報により、保留した全てのソースプライマリセルとソースセカンダリセルの構成情報とを結合し、ターゲットプライマリセルおよびターゲットセカンダリセルの構成情報を獲得し、ソースプライマリセルおよびソースセカンダリセルからターゲットプライマリセルおよびターゲットセカンダリセルへ切り替える構成モジュールとを備え、
プライマリセル変更命令が、削除指令および追加指令を含み、
構成モジュールが、前記削除指令に含むセカンダリセルのセル番号と当該セル番号に対応する構成情報とを削除し、さらにプライマリセル変更命令に載せた当該セル番号に対応する構成情報を追加し、
削除指令と追加指令とが同じセル番号を含む場合、構成モジュール削除指令が、削除指令に基づき、先に当該セル番号と当該セル番号に対応する構成情報とを削除し、あらためて追加指令に基づき、当該セル番号とプライマリセル変更命令に載せた当該セル番号に対応する構成情報とを追加することを特徴とするユーザー設備。
【請求項８】
プライマリセル変更命令に載せたプライマリセルおよびセカンダリセルの構成情報が、保留したソースプライマリセルの構成情報に対する増分構成情報或いは完全構成情報であり、或いは、
プライマリセル変更命令に載せたプライマリセルの構成情報が、保留したソースプライマリセルの構成情報に対する増分構成情報或いは完全構成情報であり、プライマリセル変更命令に載せたセカンダリセルの構成情報が、保留したソースセカンダリセルの構成情報に対する増分構成情報或いは完全構成情報であることを特徴とする請求項７に記載のユーザー設備。
【請求項９】
プライマリセル変更命令が、再構成情報であるか、或いは、プライマリセル変更命令が、切り替え命令であることを特徴とする請求項７に記載のユーザー設備。
【請求項１０】
プライマリセルの構成情報を含むプライマリセル変更命令を生成する、制御モジュールと、
ユーザー端末ＵＥへプライマリセル変更命令を送信し、前記ユーザー端末ＵＥに、プライマリセル変更命令に載せたプライマリセルおよびセカンダリセルの構成情報により、保留した全てのソースプライマリセルとソースセカンダリセルの構成情報との結合を指示し、ターゲットプライマリセルおよびターゲットセカンダリセルの構成情報を獲得し、ソースプライマリセルおよびソースセカンダリセルからターゲットプライマリセルおよびターゲットセカンダリセルへ切り替えるインターフェースモジュールとを備え、
プライマリセル変更命令が、削除指令および追加指令を含み、
インターフェースモジュールが、前記ユーザー端末ＵＥへプライマリセル変更命令を送信し、前記ユーザー端末ＵＥに、前記削除指令に含むセカンダリセルのセル番号と当該セル番号に対応する構成情報との削除を指示し、さらに前記追加指令に含むセル番号とプライマリセル変更命令に載せた当該セル番号に対応する構成情報とを追加し、
削除指令と追加指令とが同じセル番号を含む場合、インターフェースモジュールが、前記ユーザー端末ＵＥへプライマリセル変更命令を送信し、前記ユーザー端末ＵＥが、削除指令に基づき、先に当該セル番号と当該セル番号に対応する構成情報との削除を指示し、あらためて追加指令に基づき、当該セル番号とプライマリセル変更命令に載せた当該セル番号に対応する構成情報とを追加することを特徴とする基地局。
【請求項１１】
プライマリセル変更命令に載せたプライマリセルおよびセカンダリセルの構成情報が、保留したソースプライマリセルの構成情報に対する増分構成情報或いは完全構成情報であり、或いは、
プライマリセル変更命令に載せたプライマリセルの構成情報が、保留したソースプライマリセルの構成情報にたいする増分構成情報或いは完全構成情報であり、プライマリセル変更命令に載せたセカンダリセルの構成情報が、保留したソースセカンダリセルの構成情報にたいする増分構成情報或いは完全構成情報であることを特徴とする請求項１０に記載の基地局。
【請求項１２】
プライマリセル変更命令が、再構成情報であるか、或いは、プライマリセル変更命令が、切り替え命令であることを特徴とする請求項１０に記載の基地局。
【発明の詳細な説明】
【技術分野】
【０００１】
本発明は通信分野に関し、特にプライマリセル変更のためのセルの構成方法および装置に関する。
【背景技術】
【０００２】
ロング・ターム・エボリューション（ＬＴＥ）およびこれまでの無線通信システムにおいて、１つのセル内にキャリアは１つのみであり、ＬＴＥシステムにおける最大帯域幅は２０ＭＨｚであったが、伝送帯域幅を向上させるため、当業界にてアップグレードされたロング・ターム・ェボリューション（ＬＴＥ  Ａｄｖａｎｃｅｄ，ＬＴＥ−Ａ）システムが提案された。
【０００３】
ＬＴＥ−Ａシステムにおいて、システムのピーク速度はＬＴＥに比べ飛躍的に向上し、下り１Ｇｂｐｓ、上り５００Ｍｂｐｓにまで要求されている。
もし、最大帯域幅を２０ＭＨｚとするキャリアを１つ使用するだけではピーク速度の要求を満たせない。
よって、ＬＴＥ−Ａシステムは端末が使用できる帯域幅を拡大する必要があるため、キャリア・アグリゲーション（Ｃａｒｒｉｅｒ  Ａｇｇｒｅｇａｔｉｏｎ，ＣＡ）技術を導入した。
即ち、同じｅＮＢ（ＬＴＥ基地局）下の複数の連続或いは連続しないキャリアを集め、同時に、ユーザー設備（ＵＥ）にサービスをすることにより、必要な速度を提供する。
これら集まったキャリアをコンポーネントキャリア（ｃｏｍｐｏｎｅｎｔ  ｃａｒｒｉｅｒ，ＣＣ）ともいう。
各セルともコンポーネントキャリアといえ、異なるｅＮＢのセル（コンポーネントキャリア）は集合できない。
ＵＥが集める複数セルに対してプライマリセル（Ｐｃｅｌｌ）とセカンダリセル（Ｓｃｅｌｌ）の概念を定義し、それぞれＵＥが現在集めるプライマリキャリアセルとセカンダリキャリアセルに対応する。
【発明の概要】
【発明の解決しようとする課題】
【０００４】
ＬＴＥシステムは、シングルキャリアのシステムであり、切り替える際にターゲットセルを１つのみ構成することに関する。
また、ＬＴＥ−Ａシステムはプライマリセルとセカンダリセルの複数セルの切り替えに関し、ＬＴＥシステムの切り替え過程に直接当てはめられず、さらに、ＬＴＥ−Ａシステムにおける切り替え過程の有效な解决方案は現在まだ提案されていない。
【課題を解決するための手段】
【０００５】
本発明の実施形態に係るプライマリセル変更のためのセルの構成方法および装置は、キャリア・アグリゲーションシステムにおけるプライマリセルの変更を実現する。
【０００６】
ＵＥ側に用いられるプライマリセル変更のためのセルの構成方法は、ユーザー端末ＵＥが、プライマリセル変更命令により、プライマリセルとセカンダリセルの構成情報を獲得するステップと、ＵＥが、獲得したプライマリセルとセカンダリセルの構成情報により、保留したソースプライマリセルとソースセカンダリセルの構成情報とを結合し、ターゲットプライマリセルとターゲットセカンダリセルの構成情報を獲得し、ソースプライマリセルとソースセカンダリセルからターゲットプライマリセルとターゲットセカンダリセルへ切り替えるステップとを備える。
【０００７】
基地局側に用いられる、ＵＥへのセル更新の指示を実施するためのプライマリセル変更のためのセルの構成方法は、基地局が、プライマリセルの構成情報を含むプライマリセル変更命令を生成するステップと、基地局が、ユーザー端末ＵＥへプライマリセル変更命令を送信し、ＵＥに、プライマリセル変更命令に載せたプライマリセルとセカンダリセルの構成情報により、保留した全てのソースプライマリセルとソースセカンダリセルの構成情報との結合を指示し、ターゲットプライマリセルとターゲットセカンダリセルの構成情報を獲得し、ソースプライマリセルとソースセカンダリセルからターゲットプライマリセルとターゲットセカンダリセルへ切り替えるステップとを備える。
【０００８】
ユーザー設備は、プライマリセル変更命令により、プライマリセルとセカンダリセルの構成情報を獲得する、インターフェースモジュールと、獲得したプライマリセルとセカンダリセルの構成情報により、保留した全てのソースプライマリセルとソースセカンダリセルの構成情報とを結合し、ターゲットプライマリセルとターゲットセカンダリセルの構成情報を獲得し、ソースプライマリセルとソースセカンダリセルからターゲットプライマリセルとターゲットセカンダリセルへ切り替える、構成モジュールとを備える。
【０００９】
基地局は、プライマリセルの構成情報を含むプライマリセル変更命令を生成する、制御モジュールと、ユーザー端末ＵＥへプライマリセル変更命令を送信し、ＵＥに、プライマリセル変更命令に載せたプライマリセルとセカンダリセルの構成情報により、保留した全てのソースプライマリセルとソースセカンダリセルの構成情報の結合を指示し、ターゲットプライマリセルとターゲットセカンダリセルの構成情報を獲得し、ソースプライマリセルとソースセカンダリセルからターゲットプライマリセルとターゲットセカンダリセルへ切り替える、インターフェースモジュールとを備える。
【発明の効果】
【００１０】
本発明の実施形態において、ＵＥがプライマリセル変更命令を受信した場合、ソースプライマリセルとソースセカンダリセルの構成情報をすぐに削除せず，一旦保留し、プライマリセル変更命令を実行する場合に、プライマリセル変更命令に載せたプライマリセルの構成情報により、保留したプライマリセルの構成情報を更新し、ソースプライマリセルからターゲットプライマリセルへ切り替え、ＬＴＥ−Ａシステムにおけるプライマリセルの切り替えを実現する。
【図面の簡単な説明】
【００１１】
【図１】本発明の実施形態における通信システムの構造を示す図。
【図２】本発明の実施形態におけるＵＥの主な構造を示す図。
【図３】本発明の実施形態におけるＵＥの詳細な構造を示す図。
【図４】本発明の実施形態における基地局の構造を示す図。
【図５】本発明の実施形態におけるＵＥ側でのセルの切り替えの方法のフロー図。
【図６】本発明の実施形態における基地局側でのセルの切り替えの方法のフロー図。
【図７】本発明の実施形態におけるプライマリセル変更命令が削除指令と追加指令を含み、さらに削除指令と追加指令が同じセル番号を含む場合の、プライマリセル変更のためのセルの構成方法のフロー図。
【図８】本発明の実施形態におけるプライマリセル変更命令が削除指令と追加指令を含み、さらに削除指令と追加指令が異なるセル番号を備える場合の、プライマリセル変更のためのセルの構成方法のフロー図。
【図９】本発明の実施形態におけるプライマリセル変更命令が変更指令を含み、さらにセルとセル番号の対応関係が変わらない場合の、プライマリセル変更のためのセルの構成方法のフロー図。
【図１０】本発明の実施形態におけるプライマリセル変更命令が変更指令を含み、さらにプライマリセルとセル番号の対応関係が変わらない場合の、プライマリセル変更のためのセルの構成方法のフロー図。
【図１１】本発明の実施形態における基地局を跨いでのプライマリセル変更のためのセルの構成方法のフロー。
【発明の実施するための形態】
【００１２】
本発明の実施形態において、ＵＥがプライマリセル変更命令を受信した場合、ソースプライマリセルとソースセカンダリセルの構成情報をすぐに削除せず、一旦保留し、プライマリセル変更命令を実行する場合、プライマリセル変更命令に基づき指令に載せたプライマリセルの構成情報により、保留したソースプライマリセルの構成情報を更新し、ソースプライマリセルからターゲットプライマリセルへ切り替え、ＬＴＥ−Ａシステムにおけるプライマリセルの切り替えを実現する。
【００１３】
図１に示すように、本実施形態における通信システムは、基地局とＵＥを備える。
基地局はｅＮＢ或いはＮｏｄｅ  Ｂ等でもよい。
【００１４】
基地局は、プライマリセルの構成情報を含むプライマリセル変更命令を生成し、かつＵＥへプライマリセル変更命令を送信し、ＵＥに、プライマリセル変更命令に載せたプライマリセルとセカンダリセルの構成情報により、保留した全てのソースプライマリセルとソースセカンダリセルの構成情報との結合を指示し、ターゲットプライマリセルとターゲットセカンダリセルの構成情報を獲得し、ソースプライマリセルとソースセカンダリセルからターゲットプライマリセルとターゲットセカンダリセルへ切り替える。
【００１５】
プライマリセル変更命令は多様な形式があり、例えば、プライマリセル変更命令は、削除指令（ｒｅｌｅａｓｅ或いはｒｅｍｏｖｅ）と追加指令（ａｄｄ）を含むというような、多様な方式により、プライマリセル及び／或いはセカンダリセルの切り替えを実現できる。
基地局は、ＵＥへプライマリセル変更命令を送信し、ＵＥに前記削除指令に含むセル番号と当該セル番号に対応する構成情報の削除を指示する。
さらに前記追加指令に含むセル番号とプライマリセル変更命令に載せた当該セル番号に対応する構成情報を追加する。
特に、削除指令と追加指令が同じセル番号を含む場合、基地局は、ＵＥへプライマリセル変更命令を送信し、ＵＥに、削除指令に基づき、先に当該セル番号と当該セル番号に対応する構成情報の削除を指示する。
そして、あらためて追加指令に基づき、当該セル番号とプライマリセル変更命令に載せた当該セル番号に対応する構成情報を追加する。
或いは、例えば、プライマリセル変更命令は変更指令を含むというような、多様な方式により、プライマリセル及び／或いはセカンダリセルの切り替えを実現できる。
基地局は、ＵＥへプライマリセル変更命令を送信し、ＵＥに、変更指令に含むセル番号に対応する構成情報の削除を指示する。
さらに、プライマリセル変更命令に載せた当該セル番号に対応する構成情報を追加する。
ここで、プライマリセル変更命令に載せたプライマリセルとセカンダリセルの構成情報は、保留したソースプライマリセルの構成情報の増分構成情報或いは完全構成情報である。
或いは、プライマリセル変更命令に載せたプライマリセルの構成情報は、保留したソースプライマリセルの構成情報に対する増分構成情報或いは完全構成情報であり、プライマリセル変更命令に載せたセカンダリセルの構成情報は、保留したソースセカンダリセルの構成情報に対する増分構成情報或いは完全構成情報である。
以上の削除指令、追加指令と変更指令は、セカンダリセルの変更にのみ用いることができる。
プライマリセルの変更については、プライマリセル変更命令は、ターゲットプライマリセルのセル番号と構成情報のみ載せることができ、相応の削除指令、追加指令と変更指令を載せる必要はない。
ＵＥは、プライマリセル変更命令に基づき、ターゲットプライマリセルを直接構成し、そして自動的にソースプライマリセルの構成情報（更新した構成情報）を削除する。
【００１６】
プライマリセル変更命令を再構成情報とする（例：無線リソース制御（ＲＲＣ）再構成情報）；或いは、プライマリセル変更命令を切り替え命令とする。
【００１７】
セル番号はＵＥレベルでよく、即ち同じセルに対応する異なるＵＥに異なるセル番号があってもよい。
現在、ＵＥが集められるセル数を５とし、セル番号は３ｂｉｔｓを用いて表示すればよい。
【００１８】
完全構成は、基地局が完全な構成情報を専用シグナル方式により、ＵＥへ送信するのを指し、ＵＥは直接当該構成を使用する。
増分構成は、ＵＥと基地局内部のともに同じ古い構造を保存するのを指し、そして、基地局は古い構造と異なるパラメータを専用シグナル方式により、ＵＥへ送信し、ＵＥは、基地局が送信する新しい割り当てを使用する。
同時に、それらのシグナルに現れていないパラメータに対して、旧割り当てをそのまま用いるか、或いは旧割り当て（および相応の機能）を解放する。
増分構成方案を採用すると、専用シグナルの大小を低減でき、シグナルのオーバーヘッドを減らすことができる。
【００１９】
プライマリセルとしてのセルの構成情報は少なくとも次に記述のパラメータの内の１つを備える：ＳＲ（スケジューリング要求）リソースのような、物理上り制御チャネル（ＰＵＣＣＨ）関連パラメータ；ＳＰＳリソース割り当てのような、ＳＰＳ（半持続的スケジューリング）関連パラメータ；サイクルＣＱＩ（チャネル品質を指す）関連パラメータ；ランダムアクセスプリアンブルによる割り当て回答のような、ランダムアクセス関連パラメータ；関連コンピュータとタイマーの長さのような、無線リンク失敗関連パラメータ；システム情報周期、システム情報受信ウィンドウ大小とＴＡＩ（位置登録エリア番号）等のような、システム情報中の部分パラメータ；当該プライマリセルの構成情報はさらに他のパラメータを含むことができるが、ここでは一つ一つ挙げない。
【００２０】
セカンダリセルとしてのセルの構成情報は、ティーアクティブ化タイマー等を備える。
セカンダリセルの構成情報さらに他のパラメータを含むことができるが、ここでは一つ一つ挙げない。
【００２１】
ＵＥが、プライマリセル変更命令を受信する場合、ソースプライマリセルとソースセカンダリセルの構成情報を保留し、すぐに削除しない。
そして、ＵＥは、プライマリセル変更命令に載せたプライマリセルとセカンダリセルの構成情報により、保留した全てのソースプライマリセルとソースセカンダリセルの構成情報とを結合する。
そしてターゲットプライマリセルとターゲットセカンダリセルの構成情報を獲得し、ソースプライマリセルとソースセカンダリセルからターゲットプライマリセルとターゲットセカンダリセルへ切り替える。
プライマリセル変更命令は多様な形式があり、例えば、プライマリセル変更命令は削除指令と追加指令を含むというような、多様な方式により、プライマリ及び／或いはセカンダリセルの切り替えを実現できる。
ＵＥは、前記削除指令に含むセル番号と当該セル番号に対応する構成情報を削除し、前記追加指令に含むセル番号とプライマリセル変更命令に載せた当該セル番号に対応する構成情報を追加する。
特に、削除指令と追加指令が同じセル番号を含む場合、ＵＥは、削除指令に基づき、先に当該セル番号と当該セル番号に対応する構成情報を削除する。
そして、あらためて追加指令に基づき、当該セル番号とプライマリセル変更命令に載せた当該セル番号に対応する構成情報を追加する。
或いは、例えば、プライマリセル変更命令は変更指令を含むというような、多様な方式により、プライマリ及び／或いはセカンダリセルの切り替えを実現できる。
ＵＥは、変更指令に含むセル番号に対応する構成情報を削除し、プライマリセル変更命令に載せた当該セル番号に対応する構成情報を追加する。
ＵＥは、構成情報を更新後、ターゲットセルのシステム情報を読み取し、切り替えを完成する。
以上の削除指令、追加指令と変更指令は、セカンダリセルの変更にのみ用いることができる。
プライマリセルの変更については、プライマリセル変更命令はターゲットプライマリセルのセル番号と構成情報のみ載せることができ、相応の削除指令、追加指令と変更指令を載せる必要はない。
ＵＥは、プライマリセル変更命令に基づき、ターゲットプライマリセルを直接構成し、そして自動的にソースプライマリセルの構成情報（更新した構成情報）を削除する。
【００２２】
プライマリセルの切り替えは、基地局内での切り替え、基地局を跨いでの切り替えの可能性がある。
もし、基地局内での切り替えであれば、プライマリセル変更命令の切り替えと生成を判定する基地局は同じである。
もし、基地局を跨いでの切り替えであれば、ソース基地局は、切り替えると判定し、かつターゲット基地局へ切り替え要求を送信する。
当該要求情報にソースプライマリセル及び／或いはソースセカンダリセルの構成情報を含み、ターゲット基地局を介して、プライマリセル変更命令を生成し、かつソース基地局を介してＵＥへ送信する。
基地局を跨いで切り替える情况では、ＵＥは、ターゲットセルのシステム情報を読み取り、ターゲット基地局と接続できるように、切り替えを完成する。
【００２３】
図２に示すように、本実施形態においてＵＥは、インターフェースモジュール２０１と構成モジュール２０２を備え、インターフェースモジュール２０１は受・送信機等デバイスを含むことができ、構成モジュール２０２は、各種の実行可能デバイスにより実現できる。
【００２４】
インターフェースモジュール２０１は、プライマリセル変更命令を受信・解析し、プライマリセル変更命令により、変更命令に載せたプライマリセルとセカンダリセルの構成情報を獲得する。
インターフェースモジュール２０１、さらにターゲットセルのシステム情報を等を読み取る。
インターフェースモジュール２０１は、さらに他の情報を受信と送信ができる。
【００２５】
構成モジュール２０２は、インターフェースモジュール２０１と接続し、プライマリセル変更命令に載せたプライマリセルとセカンダリセルの構成情報により、保留した全てのソースプライマリセルとソースセカンダリセルの構成情報を結合する。
そして、ターゲットプライマリセルとターゲットセカンダリセルの構成情報を獲得し、ソースプライマリセルとソースセカンダリセルからターゲットプライマリセルとターゲットセカンダリセルへ切り替える。
プライマリセル変更命令が削除指令と追加指令を含む場合、構成モジュール２０２は、削除指令に含むセル番号と当該セル番号に対応する構成情報を削除し、さらに追加指令に含むセル番号とプライマリセル変更命令に載せた当該セル番号に対応する構成情報を追加する。
特に、削除指令と追加指令が同じセル番号を含む場合、構成モジュール２０２は、削除指令に基づき、先に当該セル番号と当該セル番号に対応する構成情報を削除する。
そして、あらためて追加指令に基づき、当該セル番号とプライマリセル変更命令に載せた当該セル番号に対応する構成情報を追加する。
プライマリセル変更命令が変更指令を含む場合、構成モジュール２０２は、変更指令に含むセル番号に対応する構成情報を削除し、プライマリセル変更命令に載せた当該セル番号に対応する構成情報を追加する。
【００２６】
図３に示すように、ＵＥは記憶モジュール２０３をさらに備え、各種の記憶媒体により実現できる。
記憶モジュール２０３は、ソースプライマリセルとソースセカンダリセルの構成情報等を記憶する。
【００２７】
図４に示すように、本実施形態において基地局は、制御モジュール４０１とインターフェースモジュール４０２を備える。
制御モジュール４０１は、各種の実行可能デバイスにより実現できる。
インターフェースモジュール４０２は、送信機と受信機等のデバイスにより実現できる。
【００２８】
制御モジュール４０１は、プライマリセルの構成情報を含むプライマリセル変更命令を生成する。
制御モジュール４０１は、さらに切り替えの判定を行う。
【００２９】
インターフェースモジュール４０２は、ＵＥへプライマリセル変更命令を送信し、ＵＥに、プライマリセル変更命令に載せたプライマリセルとセカンダリセルの構成情報により、保留した全てのソースプライマリセルとソースセカンダリセルの構成情報との結合を指示する。
そして、ターゲットプライマリセルとターゲットセカンダリセルの構成情報を獲得し、ソースプライマリセルとソースセカンダリセルからターゲットプライマリセルとターゲットセカンダリセルへ切り替える。
制御モジュール４０１が、生成したプライマリセル変更命令が削除指令と追加指令を含む場合、インターフェースモジュール４０２はＵＥへプライマリセル変更命令を送信し、ＵＥに削除指令に含むセル番号と当該セル番号に対応する構成情報の削除を指示し、さらに追加指令に含むセル番号とプライマリセル変更命令に載せた当該セル番号に対応する構成情報を追加する。
特に、削除指令と追加指令が同じセル番号を含む場合、インターフェースモジュール４０２は、ＵＥへプライマリセル変更命令を送信し、ＵＥに削除指令に基づき、先に当該セル番号と当該セル番号に対応する構成情報の削除を指示する。
そして、あらためて追加指令に基づき、当該セル番号とプライマリセル変更命令に載せた当該セル番号に対応する構成情報を追加する。
制御モジュール４０１が生成したプライマリセル変更命令が変更指令を含む場合、インターフェースモジュール４０２は、ＵＥへプライマリセル変更命令を送信し、ＵＥに、変更指令に含むセル番号に対応する構成情報の削除を指示し、さらに、プライマリセル変更命令に載せた当該セル番号に対応する構成情報を追加する。
インターフェースモジュール４０２は、送信と受信の切り替えをさらに要求する。
【００３０】
当該基地局は、ソース基地局とターゲット基地局としての全ての機能を備え、異なるシーンにおいてのみ、異なる役割を果たす。
【００３１】
以上に通信システム、基地局およびＵＥの内部構造と機能を説明したが、以下にセルの切り替えの実現過程を説明する。
【００３２】
図５に示すように、本実施形態におけるＵＥ側でのセルの切り替えの方法のフローは、ステップ５０１と、ステップ５０２とを備える。
【００３３】
ステップ５０１において、ＵＥがプライマリセル変更命令を受信した場合、ソースプライマリセルとソースセカンダリセルの構成情報を保留する。
【００３４】
ステップ５０２において、ＵＥは、プライマリセル変更命令に載せたプライマリセルとセカンダリセルの構成情報により、保留した全てのソースプライマリセルとソースセカンダリセルの構成情報を結合する。
そして、ターゲットプライマリセルとターゲットセカンダリセルの構成情報を獲得し、ソースプライマリセルとソースセカンダリセルからターゲットプライマリセルとターゲットセカンダリセルへ切り替える。
【００３５】
図６に示すように、本実施形態における基地局側でのセルの切り替えの方法のフローは、ステップ６０１と、ステップ６０２とを備える。
【００３６】
ステップ６０１において、基地局はプライマリセルの構成情報を含むプライマリセル変更命令を生成する。
【００３７】
ステップ６０２において、基地局は、ＵＥへプライマリセル変更命令を送信し、ＵＥに、プライマリセル変更命令に載せたプライマリセルとセカンダリセルの構成情報により、保留した全てのソースプライマリセルとソースセカンダリセルの構成情報との結合を指示する。
そして、ターゲットプライマリセルとターゲットセカンダリセルの構成情報を獲得し、ソースプライマリセルとソースセカンダリセルからターゲットプライマリセルとターゲットセカンダリセルへ切り替える。
【００３８】
プライマリセル変更命令は、多様な構造が有り、相応の多様な方式により、セルの切り替えを実現し、さらにセルの切り替えは基地局内での切り替えと基地局を跨いでの切り替えに係り、以下に、いくつかの実施形態を挙げ実現過程を詳細に説明する。
【００３９】
図７に示すように、本実施形態におけるプライマリセル変更命令が削除指令と追加指令を含み、さらに削除指令と追加指令が同じセル番号を含む場合、プライマリセル変更のためのセルの構成方法のフローは、ステップ７０１、７０２、７０３、７０４、７０５、７０６および７０７を備える。
【００４０】
例えば、基地局でのセルは、セル１、セル２、セル３とセル４を含み、ＵＥが集めるセルは、セル１、セル２とセル３を含み、相応のセル番号は、ｉｎｄｅｘ１、ｉｎｄｅｘ２とｉｎｄｅｘ３を含み、ここでプライマリセルをセル１とする。
切り替え後、プライマリセルをセル２とし、セカンダリセルはセル１とセル３を含むとする。
【００４１】
ステップ７０１において、基地局は、ＵＥのプライマリセルをセル２へ、セカンダリセル中のセル２をセル１へ切り替えるべきだと、判定する。
これはＵＥのプライマリ、セカンダリセルのスワップに相当する。
ここで、基地局はＵＥが報告した測定報告により、判定ができる。
【００４２】
ステップ７０２において、基地局は、削除指令と追加指令を含むプライマリセル変更命令を生成し、さらに削除指令と追加指令は全てｉｎｄｅｘ２を含む。
プライマリセル変更命令での追加指令は、ｉｎｄｅｘ２に対応するターゲットセルの構成情報をさらに含む。
プライマリセル変更命令は、ｉｎｄｅｘ１とｉｎｄｅｘ１に対応するターゲットプライマリセルの構成情報をさらに含む。
ＵＥは、構成情報に基づきどの番号がプライマリセルに対応するかを確認できる。
ソースプライマリセルの構成情報に対する増分構成情報或いは完全構成情報であってもよい；或いは、ｉｎｄｅｘ１に対応するターゲットセルの構成情報は、ソースプライマリセルの構成情報に対する増分構成情報或いは完全構成情報であり、ｉｎｄｅｘ２に対応するターゲットセルの構成情報は、ソースセカンダリセル（セル２及び／或いはセル３）の構成情報に対する増分構成情報或いは完全構成情報に相当する。
【００４３】
ステップ７０３において、基地局は、ＵＥへプライマリセル変更命令を送信する。
【００４４】
ステップ７０４において、ＵＥは、プライマリセル変更命令を受信し、かつソースプライマリセルとソースセカンダリセルの構成情報を保留する。
【００４５】
ステップ７０５において、ＵＥは、削除指令に基づき、ｉｎｄｅｘ２に対応する構成情報を削除する。
これは、セル２（ソースセカンダリセル）の構成情報の削除に相当する。
【００４６】
ステップ７０６において、ＵＥは、追加指令に基づき、ｉｎｄｅｘ２に対応する構成情報を更新する。
これは、セル２（ターゲットプライマリセル）の構成情報の追加に相当する。
同時に、ｉｎｄｅｘ１に対応するターゲットプライマリセルの構成情報を更新する。
さらにソースプライマリセルの構成情報（更新した構成情報）を削除する。
【００４７】
セル３については、ターゲットセカンダリセルとソースセカンダリセルは同じセルであり、ＵＥは、保留した構成情報に従う。
【００４８】
ステップ７０７において、ＵＥは、ｉｎｄｅｘ１（セル２）とｉｎｄｅｘ２（セル１）に対応するステム情報を読み取り、セルの切り替えを完成する。
【００４９】
本実施形態において、プライマリセルの切り替え前後に対応するセル番号は変わらないが、セルとセル番号の対応関係を変える。
【００５０】
本実施形態において、セカンダリセルもセル２からセル４へ切り替え、追加指令においてセル４の構成情報を含んでいればよい。
【００５１】
図８に示すように、本実施形態におけるプライマリセル変更命令が削除指令と追加指令を含み、さらに、削除指令と追加指令が異なるセル番号を備える場合、プライマリセル変更のためのセルの構成方法のフローは、ステップ８０１、８０２、８０３、８０４、８０５、８０６および８０７を備える。
【００５２】
例えば、基地局でのセルは、セル１、セル２、セル３とセル４を含み、ＵＥが集めるセルは、セル１、セル２とセル３を含み、相応のセル番号は、ｉｎｄｅｘ１、ｉｎｄｅｘ２とｉｎｄｅｘ３を含み、ここでプライマリセルをセル１とする。
切り替え後、プライマリセルをセル２とし、セカンダリセルは、セル３とセル４（ｉｎｄｅｘ４）を含むとする。
【００５３】
ステップ８０１において、基地局は、ＵＥのプライマリセルをセル２へ、セカンダリセル中のセル２をセル４へ切り替えるべきだと、判定する。
【００５４】
ステップ８０２において、基地局は、削除指令と追加指令を含むプライマリセル変更命令を生成し、さらに削除指令はｉｎｄｅｘ２を含み、追加指令はｉｎｄｅｘ４、および両者に対応する構成情報を含む。
ここで、追加指令にｉｎｄｅｘ２はターゲットプライマリセルに対応するとマークし、さらにｉｎｄｅｘ４はターゲットセカンダリセルに対応するとマークできる。
或いはマーキング方式を採らず、例えば、命令組み合わせ方式を採用し、ｉｎｄｅｘ２を削除、ｉｎｄｅｘ４を追加することは、ｉｎｄｅｘ２に対応するセル２からｉｎｄｅｘ４に対応するセル４への切り替えに相当する。
切り替え前のｉｎｄｅｘ２が対応するのはセカンダリセルのため、切り替え後のｉｎｄｅｘ４が対応するのもまたセカンダリセルである；或いは、指令に載せた構成情報により、どのセルをプライマリセルとし、さらに、どのセルをセカンダリセルとするかを知ることができる。
プライマリセル変更命令での追加指令は、ｉｎｄｅｘ４に対応するターゲットセルの構成情報をさらに含み、プライマリセル変更命令は、ｉｎｄｅｘ２とｉｎｄｅｘ２に対応するターゲットプライマリセルの構成情報をさらに含む。
これは、ｉｎｄｅｘ１に対応するセル１からｉｎｄｅｘ２に対応するセル２への切り替えに相当する。
【００５５】
ステップ８０３において、基地局は、ＵＥへプライマリセル変更命令を送信する。
【００５６】
ステップ８０４において、ＵＥは、プライマリセル変更命令を受信し、かつソースプライマリセルとソースセカンダリセルの構成情報を保留する。
【００５７】
ステップ８０５において、ＵＥは、削除指令に基づき、ｉｎｄｅｘ２に対応する構成情報を削除する。
これは、セル２（ソースセカンダリセル）の構成情報の削除に相当する。
【００５８】
ステップ８０６において、ＵＥは、追加指令に基づき、ｉｎｄｅｘ４に対応する構成情報を更新する。
これは、セル４（ターゲットセカンダリセル）の構成情報の追加に相当する。
このステップとステップ８０５の実行順序は交換してもよい。
【００５９】
同時に、ｉｎｄｅｘ２に対応するターゲットプライマリセルの構成情報を更新する。
さらに、ソースプライマリセルの構成情報（更新した構成情報）を削除する。
【００６０】
セル３については、ＵＥは、保留した構成情報に従う。
【００６１】
ステップ８０７において、ＵＥは、ｉｎｄｅｘ２（セル２）とｉｎｄｅｘ４（セル４）に対応するステム情報を読み取り、セルの切り替えを完成する。
【００６２】
本実施形態において、プライマリセルの切り替え前後に対応するセル番号は変わるが、セルとセル番号の対応関係は変わらない。
【００６３】
セカンダリセルのセル２からセル１への切り替えも図８に示す方法を採用でき、ｉｎｄｅｘ４をｉｎｄｅｘ１に変更し、かつｉｎｄｅｘ１に対応する構成情報を載せればよい。
【００６４】
図９に示すように、本実施形態におけるプライマリセル変更命令が変更指令を含み、さらにセルとセル番号の対応関係が変わらない場合、プライマリセル変更のためのセルの構成方法のフローは、ステップ９０１、９０２、９０３、９０４、９０５、９０６および９０７を備える。
【００６５】
例えば、基地局でのセルは、セル１、セル２、セル３とセル４を含み、ＵＥが集めるセルは、セル１、セル２とセル３を含み、相応のセル番号は、ｉｎｄｅｘ１、ｉｎｄｅｘ２とｉｎｄｅｘ３を含み、ここでプライマリセルをセル１とする。
切り替え後、プライマリセルをセル２とし、セカンダリセルは、セル３とセル４（ｉｎｄｅｘ４）を含むとする。
【００６６】
ステップ９０１において、基地局は、ＵＥのプライマリセルをセル２へ、セカンダリセル中のセル２をセル１へ切り替えるべきだと、判定する。
【００６７】
ステップ９０２において、基地局は、変更指令を含むプライマリセル変更命令を生成し、さらに変更指令はｉｎｄｅｘ１、ｉｎｄｅｘ２とｉｎｄｅｘ４に対応する構成情報を含む。
【００６８】
ステップ９０３において、基地局は、ＵＥへプライマリセル変更命令を送信する。
【００６９】
ステップ９０４において、ＵＥは、プライマリセル変更命令を受信し、かつソースプライマリセルとソースセカンダリセルの構成情報を保留する。
【００７０】
ステップ９０５において、ＵＥは、変更指令に基づき、ｉｎｄｅｘ２に対応する構成情報を削除する。
これは、セル２（ソースセカンダリセル）の構成情報の削除に相当する。
ここで、ＵＥがｉｎｄｅｘ４に対応する構成情報をまだ保存していないため、ｉｎｄｅｘ４に関する削除操作を実行する必要はない。
【００７１】
ステップ９０６において、ＵＥは、変更指令に基づき、ｉｎｄｅｘ４に対応する構成情報を更新する。
これは、追加セル４（ターゲットセカンダリセル）の構成情報の追加に相当する。
同時に、ｉｎｄｅｘ２に対応するターゲットプライマリセルの構成情報を更新し、そしてソースプライマリセルの構成情報（更新した構成情報）を削除する。
【００７２】
このステップとステップ９０５の実行順序は交換してもよい。
【００７３】
変更指令が、ｉｎｄｅｘ２とｉｎｄｅｘ４に対応する構成情報を含むように、ステップ９０５はステップ９０６とも合併できる。
ＵＥは、ｉｎｄｅｘ４に対応する構成情報（ターゲットセカンダリセルの構成情報）を用いて、ローカルのｉｎｄｅｘ４を空とするのに関する構成情報を更新する。
これは、セカンダリセルとしてのセル４の増加に相当する。
ＵＥは、ｉｎｄｅｘ２に対応するターゲットプライマリセルの構成情報を用いて、ローカルのｉｎｄｅｘ１に関する構成情報を変更する。
これは、プライマリセルは、セル１からセル２への切り替えに相当し、そして、ＵＥは自動的にセル１とセル２オリジナルの構成情報（更新した構成情報）を削除する。
【００７４】
セル３については、ＵＥは、保留した構成情報を続用する。
【００７５】
ステップ９０７において、ＵＥは、ｉｎｄｅｘ２（セル２）とｉｎｄｅｘ４（セル４）に対応するステム情報を読み取り、セルの切り替えを完成する。
【００７６】
本実施形態において、プライマリセルの切り替え前後に対応するセル番号は変わるが、セルとセル番号の対応関係は変わらない。
【００７７】
セカンダリセルのセル２からセル１への切り替えも図９に示す方法を採用でき、ｉｎｄｅｘ４をｉｎｄｅｘ１に変更し、かつｉｎｄｅｘ１に対応する構成情報を載せればよい。
【００７８】
図１０に示すように、本実施形態におけるプライマリセル変更命令が変更指令を含み、さらにプライマリセルとセル番号の対応関係が変わらない場合、プライマリセル変更のためのセルの構成方法のフローは、ステップ１００１、１００２、１００３、１００４、１００５、１００６、および１００７を備える。
【００７９】
例えば、基地局でのセルは、セル１、セル２、セル３とセル４を含み、ＵＥが集めるセルは、セル１、セル２とセル３を含み、相応のセル番号は、ｉｎｄｅｘ１、ｉｎｄｅｘ２とｉｎｄｅｘ３を含み、ここでプライマリセルをセル１とする。
切り替え後、プライマリセルをセル２とし、セカンダリセルは、セル３とセル４（ｉｎｄｅｘ４）を含むとする。
【００８０】
ステップ１００１において、基地局は、ＵＥのプライマリセルをセル２へ、セカンダリセル中のセル２をセル１へ切り替えるべきだと、判定する。
【００８１】
ステップ１００２において、基地局は、変更指令を含むプライマリセル変更命令を生成し、さらに変更指令はｉｎｄｅｘ２（セル４）に対応する構成情報を含む。
さらに、プライマリセル変更命令は、ｉｎｄｅｘ１（セル２）とｉｎｄｅｘ１（セル２）に対応する構成情報を含む。
【００８２】
本実施形態において、プライマリセルに対応するセル番号変わらず、セカンダリセルに対応するセル番号は切り替え前後も変わらない。
【００８３】
ステップ１００３において、基地局は、ＵＥへプライマリセル変更命令を送信する。
【００８４】
ステップ１００４において、ＵＥは、プライマリセル変更命令を受信し、かつソースプライマリセルとソースセカンダリセルの構成情報を保留する。
【００８５】
ステップ１００５において、ＵＥは、変更指令に基づき、ｉｎｄｅｘ２に対応する構成情報を削除する。
これは、セル２（ソースセカンダリセル）の構成情報の削除に相当する。
【００８６】
ステップ１００６において、ＵＥは、変更指令に基づき、ｉｎｄｅｘ２に対応する構成情報を更新する。
これは、追加セル４（ターゲットセカンダリセル）の構成情報を追加するのに相当する。
ＵＥは、ｉｎｄｅｘ１（セル２）に対応するターゲットプライマリセルの構成情報を用いて、ローカルのセル１に関する構成情報を更新する。
これは、プライマリセルのセル１からセル２への切り替えに相当し、そしてＵＥは自動的にセル１とセル２オリジナルの構成情報（更新した構成情報）を削除する。
【００８７】
このステップとステップ１００５の実行順序は交換してもよい。
【００８８】
変更指令がｉｎｄｅｘ１とｉｎｄｅｘ２に対応する構成情報を含むようにステップ１００５はステップ１００６とも合併できる。
ＵＥは、ｉｎｄｅｘ１に対応する構成情報を用いて、保留したｉｎｄｅｘ１（セル１）に対応する構成情報を更新する。
これは、セル１の削除とセル２の追加の割り当てに相当し、プライマリセルを、セル１からセル２への切り替えを実現する。
ＵＥは、ｉｎｄｅｘ２に対応する構成情報を用いて、保留したｉｎｄｅｘ２に対応する構成情報を更新する。
これは、セル１の削除とセル２の追加の割り当てに相当し、セカンダリセルを、セル２からセル４への切り替えを実現する。
【００８９】
セル３については、ＵＥは、保留した構成情報に従う。
【００９０】
ステップ１００７において、ＵＥは、ｉｎｄｅｘ１（セル２）とｉｎｄｅｘ２（セル４）に対応するステム情報を読み取り、セルの切り替えを完成する。
【００９１】
本実施形態において、プライマリセルの切り替え前後に対応するセル番号は変わらないが、セルとセル番号の対応関係は変わる。
【００９２】
セカンダリセルのセル２からセル１への切り替えも図１０に示す方法を採用でき、指令に載せたセル４の構成情報をセル１を載せる構成情報に変更すればよい。
【００９３】
図１１に示すように、本実施形態において基地局を跨いでプライマリセルを変更するセルの構成方法のフローは、ステップ１１０１、１１０２、１１０３、１１０４、１１０５、１１０６、１１０７および１１０８を備える。
【００９４】
例えば、ソース基地局でのセルは、セル１、セル２とセル３を含み、ターゲット基地局でのセルは、セル４、セル５とセル６を含み、ＵＥが集めるセルは、セル１、セル２とセル３を含み、相応のセル番号は、ｉｎｄｅｘ１、ｉｎｄｅｘ２とｉｎｄｅｘ３を含む。
ここでプライマリセルをセル１とする。
切り替え後、ＵＥが集めるセルは、セル４、セル５とセル６を備え、相応のセル番号は、ｉｎｄｅｘ４、ｉｎｄｅｘ５とｉｎｄｅｘ６を含み、プライマリセルをセル４とする。
【００９５】
ステップ１１０１において、ソース基地局は、ＵＥのプライマリセルをセル４に、セカンダリセルをセル５とセル６へ切り替えるべきだと、判定する。
【００９６】
ステップ１１０２において、ソース基地局は、ターゲット基地局へ切り替え要求を送信し、当該切り替え要求は、セル１、セル２とセル３（に相当するソースプライマリセルと全てのソースセカンダリセル）の構成情報を含む。
【００９７】
ステップ１１０３において、ターゲット基地局は、プライマリセル変更命令を生成し、プライマリセル変更命令は、ｉｎｄｅｘ４、ｉｎｄｅｘ５とｉｎｄｅｘ６に対応する構成情報、つまりセル４、セル５とセル６の構成情報を含む。
【００９８】
本実施形態において、プライマリセル変更命令に載せたセル番号は、ｉｎｄｅｘ１、ｉｎｄｅｘ２とｉｎｄｅｘ３に従うこともでき、ｉｎｄｅｘ１、ｉｎｄｅｘ２とｉｎｄｅｘ３に対応するのがセル４、セル５とセル６の構成情報であればよい。
【００９９】
プライマリセル変更命令は、削除指令ｉｎｄｅｘ２と追加指令ｉｎｄｅｘ５、削除指令ｉｎｄｅｘ３と追加指令ｉｎｄｅｘ６のような、削除指令と追加指令を含むことができる。
或いは、プライマリセル変更命令が、変更指令ｉｎｄｅｘ２とｉｎｄｅｘ３のような、変更指令を含み、かつ、セル４、セル５とセル６の構成情報を指令に載せる。
プライマリセルとセル番号の対応関係は変わらない、或いはセルとセル番号の対応関係は変わらない。
具体的には図７−１０に示すフローの通りである。
【０１００】
ステップ１１０４において、ターゲット基地局は、ソース基地局を介してＵＥへプライマリセル変更命令を送信する。
【０１０１】
ステップ１１０５において、ＵＥは、プライマリセル変更命令を受信し、かつソースプライマリセルとソースセカンダリセルの構成情報を保留する。
【０１０２】
ステップ１１０６において、ＵＥは、プライマリセル変更命令に基づき、セル１、セル２とセル３に対応する構成情報を削除する。
これは、ソースプライマリセルとソースセカンダリセルの構成情報の削除に相当する。
【０１０３】
ステップ１１０７において、ＵＥは、プライマリセル変更命令に基づき、セル４、セル５とセル６に対応する構成情報を更新する。
これは、ターゲットプライマリセルとターゲットセカンダリセルの構成情報の追加に相当する。
このステップとステップ１１０６の実行順序は交換してもよい。
【０１０４】
もし、プライマリセル変更命令が変更指令を含むならば、ステップ１１０６はステップ１１０７とも合併できる。
【０１０５】
ステップ１１０８において、ＵＥは、セル４、セル５とセル６に対応するステム情報を読み取り、かつターゲット基地局と接続し、セルの切り替えを完成する。
【０１０６】
本発明の実施形態において、ＵＥが、プライマリセル変更命令を受信した場合、ソースプライマリセルとソースセカンダリセルの構成情報を保留し、ソースプライマリセルとソースセカンダリセルの構成情報をすぐに削除しない。
そして、プライマリセル変更命令を実行する場合、プライマリセル変更命令に基づき、指令に載せたプライマリセルの構成情報により、保留するプライマリセルの構成情報を更新し、ソースプライマリセルからターゲットプライマリセルへ切り替え、ＬＴＥ−Ａシステムにおけるプライマリセルの切り替えを実現する。
しかし、従来の切り替え過程を実現する必要はない。
本発明の実施形態における、プライマリセル変更命令は再構成情報或いは切り替え命令でもよく、さらに指令に載せた構成情報は増分構成情報或いは完全構成情報でもよい。
そして、本発明に係る実施形態は、削除指令と追加指令の組み合わせ、或いは変更指令により、構成情報を更新し、さらにセルを切り替える。
このように多様な実現方式は異なるシーンでのニーズに適用でき、さらに柔軟にプライマリ及び／或いはセカンダリセルの切り替えを実現する。
【０１０７】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。
さらに、本発明は、一つ或いは複数のコンピュータプログラム製品の形式を採用できる。
当該製品はコンピュータ使用可能なプログラムコードを含むコンピュータ使用可能な記憶媒体（ディスク記憶装置と光学記憶装置等を含むがそれとは限らない）において実施する。
【０１０８】
以上は本発明は、本発明の実施形態の方法、装置（システム）、およびコンピュータプログラム製品のフロー図及び／或いはブロック図により、本発明を記述した。
理解すべきことは、コンピュータプログラム指令により、フロー図及び／或いはブロック図における各フロー及び／或いはブロックと、フロー図及び／或いはブロック図におけるフロー及び／或いはブロックの結合を実現できる。
プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置装置のプロセッサは、これらのコンピュータプログラム指令を実行し、フロー図における一つ或いは複数のフロー及び／或いはブロック図における一つ或いは複数のブロックに指定する機能を実現する。
【０１０９】
これらのコンピュータプログラム指令は又、コンピュータ或いは他のプログラム可能なデータ処理装置を特定方式で動作させるコンピュータ読取記憶装置に記憶できる。
これにより、指令を含む装置は当該コンピュータ読取記憶装置内の指令を実行でき、フロー図における一つ或いは複数のフロー及び／或いはブロック図における一つ或いは複数のブロックに指定する機能を実現する。
【０１１０】
これらコンピュータプログラム指令はさらに、コンピュータ或いは他のプログラム可能なデータ処理装置設備に実装もできる。
コンピュータプログラム指令が実装されたコンピュータ或いは他のプログラム可能設備は、一連の操作ステップを実行することにより、関連の処理を実現し、コンピュータ或いは他のプログラム可能な設備において実行される指令により、フロー図における一つ或いは複数のフロー及び／或いはブロック図における一つ或いは複数のブロックに指定する機能を実現する。
【０１１１】
無論、当業者により、上述した実施形態に記述された技術的な解決手段を改造し、或いはその中の一部の技術要素を置換することもできる。
そのような、改造と置換は本発明の各実施形態の技術の範囲から逸脱するとは見なされない。
【図１】
0005520416.tif 000002
【図２】
0005520416.tif 000003
【図３】
0005520416.tif 000004
【図４】
0005520416.tif 000005
【図５】
0005520416.tif 000006
【図６】
0005520416.tif 000007
【図７】
0005520416.tif 000008
【図８】
0005520416.tif 000009
【図９】
0005520416.tif 000010
【図１０】
0005520416.tif 000011
【図１１】
0005520416.tif 000012